(57)【要約】      （修正有）【課題】印刷機の制御装置および方法並びに印刷機において、印刷準備作業における作業性の向上を図る。【解決手段】ブランケット胴３１ａ，３１ｂ，３２ａ，３２ｂ，３３ａ，３３ｂ，３４ａ，３４ｂおよび版胴４１ａ，４１ｂ，４２ａ，４２ｂ，４３ａ，４３ｂ，４４ａ，４４ｂを駆動回転し、ブランケット胴３１ａ，３１ｂ，３２ａ，３２ｂ，３３ａ，３３ｂ，３４ａ，３４ｂの回転数が１８ｒｐｍ〜５０ｒｐｍの範囲に到達すると、ブランケット胴３１ａ，３１ｂ，３２ａ，３２ｂ，３３ａ，３３ｂ，３４ａ，３４ｂをウェブに接触させる印刷位置に移動する処理、湿し装置を作動する処理、インキ供給装置を作動する処理を開始する。【選択図】図１
2020138400.tif 000002
【特許請求の範囲】
【請求項１】
外周面に刷版が装着される版胴と、
前記版胴に対接するブランケット胴と、
前記版胴にインキを供給するインキ供給装置と、
前記版胴に湿し水を供給する湿し装置と、
を備える印刷機において、
前記版胴および前記ブランケット胴を駆動回転し、前記ブランケット胴の回転数が１８ｒｐｍ〜５０ｒｐｍの範囲に到達すると、前記ブランケット胴をウェブに接触させる印刷位置に移動する処理、前記湿し装置を作動する処理、前記インキ供給装置を作動する処理を開始する、
ことを特徴とする印刷機の制御装置。
【請求項２】
印刷済のウェブを所定の長さで横裁断してから横折りして折帖を形成する折機が設けられ、前記ブランケット胴の回転数が１８ｒｐｍ〜５０ｒｐｍの範囲に到達する前で、前記ブランケット胴の回転速度を増加中に、前記版胴および前記ブランケット胴を駆動回転するモータの位相と、前記折機を駆動するモータとの位相を合わせるための位置同期制御を行うことを特徴とする請求項１に記載の印刷機の制御装置。
【請求項３】
前記ウェブの張力が予め設定された適正張力に到達すると、前記ブランケット胴の回転速度を増加し、前記ブランケット胴の回転数が１８ｒｐｍ〜５０ｒｐｍの範囲に到達すると、前記ブランケット胴をウェブに接触させる印刷位置に移動する処理、前記湿し装置を作動する処理、前記インキ供給装置を作動する処理を開始することを特徴とする請求項１または請求項２に記載の印刷機の制御装置。
【請求項４】
前記ブランケット胴の回転数を７ｒｐｍ〜１０ｒｐｍの範囲の一定速度として前記ウェブの紙通し作業を実行すると共に、前記ウェブの張力調整作業を実行し、前記ウェブの張力が前記適正張力に到達すると、前記ブランケット胴の回転速度を増加することを特徴とする請求項３に記載の印刷機の制御装置。
【請求項５】
前記ブランケット胴より前記ウェブの搬送方向の下流側に配置される下流側駆動ローラの回転速度より、前記ブランケット胴より前記ウェブの搬送方向の上流側に配置される上流側駆動ローラの回転速度を低速とし、前記ウェブの張力が前記適正張力に到達すると、前記適正張力が維持されるように前記上流側駆動ローラの回転速度を制御することを特徴とする請求項３または請求項４に記載の印刷機の制御装置。
【請求項６】
前記ブランケット胴をウェブに接触させる印刷位置に移動する処理、前記インキ供給装置を作動する処理、前記湿し装置を作動する処理の完了後、前記ブランケット胴の回転数が２５０ｒｐｍ以下のときに、前記ブランケット胴の回転数を一定回転数とし、前記ウェブの紙面検査を実行することを特徴とする請求項１から請求項５のいずれか一項に記載の印刷機の制御装置。
【請求項７】
前記ブランケット胴の周長は、前記版胴の周長の整数倍であり、前記ブランケット胴と前記版胴は、共通の駆動装置により駆動回転することを特徴とする請求項１から請求項６のいずれか一項に記載の印刷機の制御装置。
【請求項８】
外周面に刷版が装着される版胴と、
前記版胴に対接するブランケット胴と、
前記版胴にインキを供給するインキ供給装置と、
前記版胴に湿し水を供給する湿し装置と、
を備える印刷機において、
前記版胴および前記ブランケット胴を駆動回転し、前記ブランケット胴の回転数が１８ｒｐｍ〜５０ｒｐｍの範囲に到達すると、前記ブランケット胴をウェブに接触させる印刷位置に移動する処理、前記湿し装置を作動する処理、前記インキ供給装置を作動する処理を開始する、
ことを特徴とする印刷機の制御方法。
【請求項９】
ウェブを供給する給紙装置と、
前記給紙装置から供給された前記ウェブに対して印刷を施す印刷装置と、
前記印刷装置により印刷が施された前記ウェブを縦折りした後に断裁して所定の折帖を形成する折り装置と、
請求項１から請求項７のいずれか一項に記載の印刷機の制御装置と、
を備えることを特徴とする印刷機。
【発明の詳細な説明】
【技術分野】
【０００１】
本発明は、印刷機の制御装置および方法、並びに、印刷機の制御装置が適用された印刷機に関するものである。
【背景技術】
【０００２】
例えば、新聞用オフセット輪転印刷機は、給紙装置と印刷装置とウェブパス装置と折機とから構成される。新聞用オフセット輪転印刷機は、印刷開始前、まず、給紙装置に支持された巻取紙から繰り出されたウェブの先端部を印刷装置およびウェブパス装置を通して折機まで導く紙通し作業が実施される。紙通し作業が完了すると、次に、印刷装置にて、ウェブに対して版胴やブランケット胴を所定位置に移動し、インキ供給装置や湿し装置を作動する。
【０００３】
このような印刷開始前の印刷機を制御する技術として、例えば、下記特許文献に記載されたものがある。特許文献１に記載されたオフセット輪転機は、まず、水付ローラおよびインキ付ローラを版胴に押圧させ、次に、所定のタイミングで水付ローラおよびインキ付ローラを版胴に押圧したまま、版胴をブランケット胴に押圧させるものである。
【先行技術文献】
【特許文献】
【０００４】
【特許文献１】特開２００１−２８７３４３号公報
【発明の概要】
【発明が解決しようとする課題】
【０００５】
ところで、印刷機に対して紙通し作業が行われた直後は、ウェブに十分な張力が確保されておらず、この状態で、ウェブに対してブランケット胴を着状態とすると、適正な張力でないウェブに無理な応力が作用して破断してしまうという課題がある。一方で、紙通し作業が行われた後、印刷機の回転数を上げてウェブに十分な張力を確保してから、ウェブに対してブランケット胴を着状態とすると、この間に多量のウェブが搬送されることとなり、多量の損紙が発生してしまうという課題がある。
【０００６】
本発明は、上述した課題を解決するものであり、印刷準備作業における作業性の向上を図る印刷機の制御装置および方法並びに印刷機を提供することを目的とする。
【課題を解決するための手段】
【０００７】
上述の目的を達成するための本発明の印刷機の制御装置は、外周面に刷版が装着される版胴と、前記版胴に対接するブランケット胴と、前記版胴にインキを供給するインキ供給装置と、前記版胴に湿し水を供給する湿し装置と、を備える印刷機において、前記版胴および前記ブランケット胴を駆動回転し、前記ブランケット胴の回転数が１８ｒｐｍ〜５０ｒｐｍの範囲に到達すると、前記ブランケット胴をウェブに接触させる印刷位置に移動する処理、前記湿し装置を作動する処理、前記インキ供給装置を作動する処理を開始する、ことを特徴とするものである。
【０００８】
従って、ブランケット胴の回転数が１８ｒｐｍ〜５０ｒｐｍの範囲に到達すると、ブランケット胴をウェブに接触させる印刷位置に移動する処理、湿し装置を作動する処理、インキ供給装置を作動する処理を開始することから、３個の処理をブランケット胴の低回転数領域から実施することができ、印刷準備作業における作業性の向上を図ることができる。
【０００９】
本発明の印刷機の制御装置では、印刷済のウェブを所定の長さで横裁断してから横折りして折帖を形成する折機が設けられ、前記ブランケット胴の回転数が１８ｒｐｍ〜５０ｒｐｍの範囲に到達する前で、前記ブランケット胴の回転速度を増加中に、前記版胴および前記ブランケット胴を駆動回転するモータの位相と、前記折機を駆動するモータとの位相を合わせるための位置同期制御を行うことを特徴としている。
【００１０】
従って、印刷機の加速運転中に、版胴およびブランケット胴を駆動回転するモータの位相と、折機を駆動するモータとの位相を合わせるための位置同期制御を行うことから、損紙の発生を抑制することができる。
【００１１】
本発明の印刷機の制御装置では、前記ウェブの張力が予め設定された適正張力に到達すると、前記ブランケット胴の回転速度を増加し、前記ブランケット胴の回転数が１８ｒｐｍ〜５０ｒｐｍの範囲に到達すると、前記ブランケット胴をウェブに接触させる印刷位置に移動する処理、前記湿し装置を作動する処理、前記インキ供給装置を作動する処理を開始することを特徴としている。
【００１２】
従って、ウェブの張力が適正張力に到達すると、ブランケット胴の回転速度を増加し、ブランケット胴の回転数が１８ｒｐｍ〜５０ｒｐｍの範囲に到達すると、ブランケット胴をウェブに接触させる印刷位置に移動する処理、湿し装置を作動する処理、インキ供給装置を作動する処理を開始することから、ウェブの張力が適正張力に維持された状態で、ブランケット胴をウェブに接触させることとなり、ウェブの破断を抑制することができる。
【００１３】
本発明の印刷機の制御装置では、前記ブランケット胴の回転数を７ｒｐｍ〜１０ｒｐｍの範囲の一定速度として前記ウェブの紙通し作業を実行すると共に、前記ウェブの張力調整作業を実行し、前記ウェブの張力が前記適正張力に到達すると、前記ブランケット胴の回転速度を増加することを特徴としている。
【００１４】
従って、ブランケット胴の回転数を７ｒｐｍ〜１０ｒｐｍの範囲の一定速度としてウェブの紙通し作業を実行すると共に、ウェブの張力調整作業を実行し、ウェブの張力が適正張力に到達すると、ブランケット胴の回転速度を増加することから、ウェブの紙通し作業と張力調整作業を円滑に行うことができる。
【００１５】
本発明の印刷機の制御装置では、前記ブランケット胴より前記ウェブの搬送方向の下流側に配置される下流側駆動ローラの回転速度より、前記ブランケット胴より前記ウェブの搬送方向の上流側に配置される上流側駆動ローラの回転速度を低速とし、前記ウェブの張力が前記適正張力に到達すると、前記適正張力が維持されるように前記上流側駆動ローラの回転速度を制御することを特徴としている。
【００１６】
従って、ブランケット胴に対する下流側駆動ローラの回転速度より上流側駆動ローラの回転速度を低速とし、ウェブの張力が適正張力に到達すると、この適正張力を維持することから、ウェブの張力調整作業を早期に行うことができる。
【００１７】
本発明の印刷機の制御装置では、前記ブランケット胴をウェブに接触させる印刷位置に移動する処理、前記インキ供給装置を作動する処理、前記湿し装置を作動する処理の完了後、前記ブランケット胴の回転数が２５０ｒｐｍ以下のときに、前記ブランケット胴の回転数を一定回転数とし、前記ウェブの紙面検査を実行することを特徴としている。
【００１８】
従って、ブランケット胴の回転数が２５０ｒｐｍ以下のときに、ブランケット胴の回転数を一定回転数としてウェブの紙面検査を実行することから、ウェブの紙面検査をブランケット胴の低回転領域で実行することで、損紙の発生を抑制することができる。
【００１９】
本発明の印刷機の制御装置では、前記ブランケット胴の周長は、前記版胴の周長の整数倍であり、前記ブランケット胴と前記版胴は、共通の駆動装置により駆動回転することを特徴としている。
【００２０】
従って、ブランケット胴を低回転でウェブに接触させることができ、印刷準備作業時間を短縮して損紙の発生を抑制することができる。
【００２１】
また、本発明の印刷機の制御方法は、外周面に刷版が装着される版胴と、前記版胴に対接するブランケット胴と、前記版胴にインキを供給するインキ供給装置と、前記版胴に湿し水を供給する湿し装置と、を備える印刷機において、前記版胴および前記ブランケット胴を駆動回転し、前記ブランケット胴の回転数が１８ｒｐｍ〜５０ｒｐｍの範囲に到達すると、前記ブランケット胴をウェブに接触させる印刷位置に移動する処理、前記湿し装置を作動する処理、前記インキ供給装置を作動する処理を開始する、ことを特徴とするものである。
【００２２】
従って、ブランケット胴をウェブに接触させる印刷位置に移動する処理、湿し装置を作動する処理、インキ供給装置を作動する処理をブランケット胴の低回転数領域から実施することができ、印刷準備作業における作業性の向上を図ることができる。
【００２３】
また、本発明の印刷機は、ウェブを供給する給紙装置と、前記給紙装置から供給された前記ウェブに対して印刷を施す印刷装置と、前記印刷装置により印刷が施された前記ウェブを縦折りした後に断裁して所定の折帖を形成する折り装置と、前記印刷機の制御装置と、を備えることを特徴とするものである。
【００２４】
従って、印刷準備作業にて、ブランケット胴をウェブに接触させる印刷位置に移動する処理、湿し装置を作動する処理、インキ供給装置を作動する処理を開始することから、３個の処理をブランケット胴の低回転数領域から実施することができ、印刷準備作業における作業性の向上を図ることができる。
【発明の効果】
【００２５】
本発明の印刷機の制御装置および方法並びに印刷機によれば、印刷準備作業における作業性の向上を図ることができる。
【図面の簡単な説明】
【００２６】
【図１】図１は、本実施形態の印刷機の制御装置を表す概略構成図である。
【図２】図２は、印刷機の制御方法を表すフローチャートである。
【図３】図３は、印刷機の制御方法を表すタイムチャートである。
【図４】図４は、新聞用オフセット輪転印刷機を表す概略構成図である。
【図５】図５は、新聞用オフセット輪転印刷機における印刷ユニットを表す概略構成図である。
【発明を実施するための形態】
【００２７】
以下に添付図面を参照して、本発明に係る印刷機の制御装置および方法並びに印刷機の好適な実施形態を詳細に説明する。なお、この実施形態により本発明が限定されるものではなく、また、複数の実施形態がある場合には、各実施形態を組み合わせて構成するものも含むものである。
【００２８】
図４は、新聞用オフセット輪転印刷機を表す概略構成図である。
【００２９】
本実施形態の印刷機は、図４に示すように、新聞用オフセット輪転印刷機１０であって、給紙装置Ｒと、インフィード装置Ｉと、印刷装置Ｕと、ウェブパス装置Ｄと、折機Ｆとから構成される。給紙装置Ｒは、複数（本実施形態では、７台）の給紙ユニットＲ１〜Ｒ７を有し、インフィード装置Ｉは、複数（本実施形態では、７台）のインフィードユニットＩ１〜Ｉ７を有し、印刷装置Ｕは、複数（本実施形態では、６台）の印刷ユニットＵ１〜Ｕ６を有し、ウェブパス装置Ｄは、複数（本実施形態では、２台）のウェブパスユニットＤ１，Ｄ２を有し、折機Ｆは、複数（本実施形態では、２台）の折ユニットＦ１，Ｆ２を有する。
【００３０】
なお、印刷ユニットＵ１〜Ｕ６を６台として説明したが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。また、２つの折ユニットＦ１，Ｆ２を上下に並べて記載したが、実際には、紙面に直交する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００３１】
給紙装置Ｒにおいて、給紙ユニットＲ１〜Ｒ７は、ほぼ同様の構成をなし、ウェブＷがロール状に巻かれた３つの巻取紙を保持する保持アームを有し、保持アームを回動することで、巻取紙を給紙位置に回動することができる。インフィード装置Ｉにおいて、インフィードユニットＩ１〜Ｉ７は、ほぼ同様の構成をなし、印刷装置Ｕの各印刷ユニットＵ１〜Ｕ６に送り込むウェブＷの張力を調整することで、印刷装置Ｕを走行するウェブＷの張力を適正値に安定して維持する。なお、給紙装置Ｒからインフィード装置ＩまでのウェブＷの張力は、給紙ユニットＲ１〜Ｒ７に設けられた図示しないブレーキ装置により行われる。
【００３２】
印刷装置Ｕにおいて、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。印刷ユニットＵ１１〜Ｕ６２は、ほぼ同様の構成をなし、インキ供給装置、版胴、ブランケット胴などを有する。印刷ユニットＵ１〜Ｕ６は、版胴の周長（直径）に対してブランケット胴の周長（直径）が２倍（整数倍）に設定されている４×１輪転印刷機である。この４×１輪転印刷機とは、版胴のサイズが４頁巾×１頁周長の輪転機のことであり、従来の４×２輪転印刷機に比べて刷版の長さが半分であり、印刷機全体がコンパクトな構造となっている。そのため、紙パス長が短く、テンション調整に関わる制御への応答が速い。また、４×１輪転印刷機は、ブランケット胴１回転に対し、版胴が２回転するため、インキや水が版胴に行渡る（整面される）時間が従来の４×２輪転印刷機よりも早い。
【００３３】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられる。ウェブパスユニットＤ１，Ｄ２は、ほぼ同様の構成をなし、ウェブＷを縦方向（ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有する。
【００３４】
印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００３５】
折機Ｆにて、２つの折ユニットＦ１，Ｆ２は、操作側と駆動側に配設される。ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙する。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙する。
【００３６】
ここで、印刷装置Ｕにおける印刷ユニットＵ１について詳細に説明する。図５は、新聞用オフセット輪転印刷機における印刷ユニットを表す概略構成図である。
【００３７】
印刷ユニットＵ１は、図５に示すように、４色印刷が可能となるように、Ｈ型のタワーユニットとなっている。印刷ユニットＵ１は、ウェブＷの搬送方向（図５）にて、下から上に向かう方向）に沿って、墨、藍、紅、黄ごとの４つのスタック２１，２２，２３，２４が配置されて構成され、スタック２１，２２，２３，２４は、それぞれ左右対称となるローラ配列となっている。
【００３８】
スタック２１，２２，２３，２４は、左右に対向してブランケット胴３１ａ，３１ｂ，３２ａ，３２ｂ，３３ａ，３３ｂ，３４ａ，３４ｂがウェブＷの搬送経路を挟んで対接可能であり、ブランケット胴３１ａ，３１ｂ，３２ａ，３２ｂ，３３ａ，３３ｂ，３４ａ，３４ｂに版胴４１ａ，４１ｂ，４２ａ，４２ｂ，４３ａ，４３ｂ，４４ａ，４４ｂが対接する。スタック２１，２２，２３，２４は、版胴４１ａ，４１ｂ，４２ａ，４２ｂ，４３ａ，４３ｂ，４４ａ，４４ｂに対して、インキ供給装置５１ａ，５１ｂ，５２ａ，５２ｂ，５３ａ，５３ｂ，５４ａ，５４ｂが設けられる。また、版胴４１ａ，４１ｂ，４２ａ，４２ｂ，４３ａ，４３ｂ，４４ａ，４４ｂに対して、湿し装置６１ａ，６１ｂ，６２ａ，６２ｂ，６３ａ，６３ｂ，６４ａ，６４ｂが設けられる。
【００３９】
このように構成された本実施形態の新聞用オフセット輪転印刷機１０にて、印刷運転を開始する前の印刷準備作業として、ウェブの紙通し作業、ウェブＷの張力調整作業、印刷装置Ｕにおける各駆動モータの位相と折機Ｆにおける各駆動モータの位相とを合わせるための位置制御、ブランケット胴３１ａ，３１ｂ，３２ａ，３２ｂ，３３ａ，３３ｂ，３４ａ，３４ｂおよび版胴４１ａ，４１ｂ，４２ａ，４２ｂ，４３ａ，４３ｂ，４４ａ，４４ｂの胴入れ作業、インキ供給装置５１ａ，５１ｂ，５２ａ，５２ｂ，５３ａ，５３ｂ，５４ａ，５４ｂの作動調整作業、湿し装置６１ａ，６１ｂ，６２ａ，６２ｂ，６３ａ，６３ｂ，６４ａ，６４ｂの作動調整作業などがある。
【００４０】
図１は、本実施形態の印刷機の制御装置を表す概略構成図である。
【００４１】
図１に示すように、給紙装置Ｒは、保持アーム１０１が複数（例えば、３個）の巻取紙ＷＲを保持する。巻取紙ＷＲから繰り出されたウェブＷは、ガイドローラ１０２、フローティングローラ１０３、ガイドローラ１０４、テンションピックアップローラ１０５、ガイドローラ１０６を介してインフィード装置Ｉに送られる。保持アーム１０１は、巻取紙ＷＲから繰り出されるウェブＷに対して制動するブレーキ装置１０７が設けられる。
【００４２】
インフィード装置Ｉは、給紙装置Ｒから供給されたウェブＷを受け取り、ガイドローラ１０８、インフィードドラグローラ１０９および紙押えローラ１１０、テンションピックアップローラ１１１を介して印刷装置Ｕに送られる。インフィードドラグローラ１０９は、駆動モータ１１２により駆動回転可能である。
【００４３】
印刷装置Ｕは、上述したように、ブランケット胴３１ａ，３１ｂ，３２ａ，３２ｂ，３３ａ，３３ｂ，３４ａ，３４ｂと版胴４１ａ，４１ｂ，４２ａ，４２ｂ，４３ａ，４３ｂ，４４ａ，４４ｂを有し、インフィード装置Ｉから供給されたウェブＷに対して両面印刷を行う。ブランケット胴３１ａ，３１ｂ，３２ａ，３２ｂ，３３ａ，３３ｂ，３４ａ，３４ｂと版胴４１ａ，４１ｂ，４２ａ，４２ｂ，４３ａ，４３ｂ，４４ａ，４４ｂは、駆動モータ１１３，１１４，１１５，１１６により独立して駆動回転可能である。印刷済のウェブＷは、テンションピックアップローラ１１７、出口ドラグローラ１１８および紙押えローラ１１９、ガイドローラ１２０を介してウェブパス装置Ｄに送られる。出口ドラグローラ１１８は、駆動モータ１２１により駆動回転可能である。
【００４４】
ウェブパス装置Ｄは、印刷装置Ｕから供給されたウェブＷをスリッタナイフ１２２およびスリッタドラグローラ１２３により幅方向の中央部で裁断され、ターンバーにより搬送経路が変更されると共に、コンペンセータにより搬送位置が調整される。スリッタドラグローラ１２３は、駆動モータ１２４により駆動回転可能である。その後、ウェブＷは、中間ドラグローラ１２５，１２６および紙押えローラ１２７，１２８、テンションピックアップローラ１２９，１３０、三角板ドラグローラ１３１および紙押えローラ１３２を介して折機Ｆに送られる。中間ドラグローラ１２５，１２６は、駆動モータ１３３により駆動回転可能であり、三角板ドラグローラ１３１は、駆動モータ１３４により駆動回転可能である。なお、中間ドラグローラ１２５，１２６に対して紙押えローラ１２７，１２８を設けなくてもよい。
【００４５】
制御装置１４０は、ブレーキ装置１０７を制御することで、巻取紙ＷＲからのウェブＷの繰り出し速度を調整することができる。また、制御装置１４０は、駆動モータ１１２，１１３，１１４，１１５，１１６，１２１，１２４，１３３，１３４を制御することで、インフィードドラグローラ１０９、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、出口ドラグローラ１１８、スリッタドラグローラ１２３、中間ドラグローラ１２５，１２６、三角板ドラグローラ１３１の回転速度を制御することができる。更に、制御装置１４０は、テンションピックアップローラ１０５，１１１，１１７，１２９，１３０から検出値が入力される。
【００４６】
以下、本実施形態の印刷機の制御装置について詳細に説明する。本実施形態の印刷機の制御装置は、ブランケット胴３１ａ，３１ｂ，３２ａ，３２ｂ，３３ａ，３３ｂ，３４ａ，３４ｂと版胴４１ａ，４１ｂ，４２ａ，４２ｂ，４３ａ，４３ｂ，４４ａ，４４ｂを駆動回転し、ブランケット胴３１ａ，３１ｂ，３２ａ，３２ｂ，３３ａ，３３ｂ，３４ａ，３４ｂの回転数が１８ｒｐｍ〜５０ｒｐｍの範囲に到達すると、ブランケット胴３１ａ，３１ｂ，３２ａ，３２ｂ，３３ａ，３３ｂ，３４ａ，３４ｂをウェブＷに接触させる印刷位置に移動する処理、湿し装置６１ａ，６１ｂ，６２ａ，６２ｂ，６３ａ，６３ｂ，６４ａ，６４ｂを作動する処理、インキ供給装置５１ａ，５１ｂ，５２ａ，５２ｂ，５３ａ，５３ｂ，５４ａ，５４ｂを作動する処理を開始する。
【００４７】
また、本実施形態の印刷機の制御装置は、ウェブＷの張力が予め設定された適正張力に到達すると、ブランケット胴３１ａ，３１ｂ，３２ａ，３２ｂ，３３ａ，３３ｂ，３４ａ，３４ｂの回転速度を増加し、ブランケット胴３１ａ，３１ｂ，３２ａ，３２ｂ，３３ａ，３３ｂ，３４ａ，３４ｂの回転数が１８ｒｐｍ〜５０ｒｐｍの範囲に到達すると、前述した３個の処理を開始する。
【００４８】
このとき、ブランケット胴３１ａ，３１ｂ，３２ａ，３２ｂ，３３ａ，３３ｂ，３４ａ，３４ｂの回転数を７ｒｐｍ〜１０ｒｐｍの範囲の一定速度としてウェブＷの紙通し作業を実行すると共に、ウェブＷの張力調整作業を実行し、ウェブＷの張力が適正張力に到達すると、ブランケット胴３１ａ，３１ｂ，３２ａ，３２ｂ，３３ａ，３３ｂ，３４ａ，３４ｂの回転速度を増加する。
【００４９】
また、ブランケット胴３１ａ，３１ｂ，３２ａ，３２ｂ，３３ａ，３３ｂ，３４ａ，３４ｂよりウェブＷの搬送方向の下流側に配置される下流側駆動ローラ（出口ドラグローラ１１８）の回転速度より、ブランケット胴３１ａ，３１ｂ，３２ａ，３２ｂ，３３ａ，３３ｂ，３４ａ，３４ｂよりウェブＷの搬送方向の上流側に配置される上流側駆動ローラ（インフィードドラグローラ１０９）の回転速度を低速とし、ウェブＷの張力が適正張力に到達すると、適正張力が維持されるように上流側駆動ローラ（インフィードドラグローラ１０９）の回転速度を制御する。
【００５０】
そして、ブランケット胴３１ａ，３１ｂ，３２ａ，３２ｂ，３３ａ，３３ｂ，３４ａ，３４ｂをウェブＷに接触させる印刷位置に移動する処理、湿し装置６１ａ，６１ｂ，６２ａ，６２ｂ，６３ａ，６３ｂ，６４ａ，６４ｂを作動する処理、インキ供給装置５１ａ，５１ｂ，５２ａ，５２ｂ，５３ａ，５３ｂ，５４ａ，５４ｂを作動する処理の完了後、ブランケット胴３１ａ，３１ｂ，３２ａ，３２ｂ，３３ａ，３３ｂ，３４ａ，３４ｂの回転数が２５０ｒｐｍ以下のときに、ブランケット胴３１ａ，３１ｂ，３２ａ，３２ｂ，３３ａ，３３ｂ，３４ａ，３４ｂの回転数を一定回転数とし、ウェブＷの紙面検査を実行する。
【００５１】
ここで、本実施形態の印刷機の制御装置による印刷機の制御方法について具体的に説明する。図２は、印刷機の制御方法を表すフローチャート、図３は、印刷機の制御方法を表すタイムチャートである。
【００５２】
本実施形態の印刷機の制御装置による印刷準備作業において、図１および図２に示すように、印刷準備作業の開始時、印刷ユニットＵ１は、ブランケット胴３１ａ，３１ｂ，３２ａ，３２ｂ，３３ａ，３３ｂ，３４ａ，３４ｂと版胴４１ａ，４１ｂ，４２ａ，４２ｂ，４３ａ，４３ｂ，４４ａ，４４ｂが離間し、ブランケット胴３１ａ，３１ｂ，３２ａ，３２ｂ，３３ａ，３３ｂ，３４ａ，３４ｂの外周面がウェブＷの表裏から離脱した胴抜き状態にある。
【００５３】
ステップＳ１１にて、制御装置１４０は、駆動モータ１１２，１１３，１１４，１１５，１１６，１２１，１２４，１３３，１３４を制御することで、インフィードドラグローラ１０９、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、出口ドラグローラ１１８、スリッタドラグローラ１２３、中間ドラグローラ１２５，１２６、三角板ドラグローラ１３１を回転駆動する。ステップＳ１２にて、制御装置１４０は、ブランケット胴３１ａ，３１ｂ，３２ａ，３２ｂ，３３ａ，３３ｂ，３４ａ，３４ｂの回転数が所定回転数Ｎ１（７ｒｐｍ〜１０ｒｐｍ）に到達したかどうかを判定する。
【００５４】
ここで、ブランケット胴３１ａ，３１ｂ，３２ａ，３２ｂ，３３ａ，３３ｂ，３４ａ，３４ｂの回転数が所定回転数Ｎ１に到達していないと判定（Ｎｏ）されると、この状態を維持する。一方、ブランケット胴３１ａ，３１ｂ，３２ａ，３２ｂ，３３ａ，３３ｂ，３４ａ，３４ｂの回転数が所定回転数Ｎ１に到達したと判定（Ｙｅｓ）されると、ステップＳ１３にて、ブランケット胴３１ａ，３１ｂ，３２ａ，３２ｂ，３３ａ，３３ｂ，３４ａ，３４ｂの回転数を所定回転数Ｎ１に維持する。この状態で、ステップＳ１４にて、ウェブＷの紙通し作業を行い、ステップＳ１５にて、ウェブＷの張力調整作業を行う。
【００５５】
ウェブＷの張力調整作業にて、制御装置１４０は、ブランケット胴３１ａ，３１ｂ，３２ａ，３２ｂ，３３ａ，３３ｂ，３４ａ，３４ｂよりウェブＷの搬送方向の下流側に配置される出口ドラグローラ１１８の回転速度より、ブランケット胴３１ａ，３１ｂ，３２ａ，３２ｂ，３３ａ，３３ｂ，３４ａ，３４ｂよりウェブＷの搬送方向の上流側に配置されるインフィードドラグローラ１０９の回転速度を低速とする。すると、インフィードドラグローラ１０９と出口ドラグローラ１１８との間の区間でウェブＷの弛みが解消され、ウェブＷに張力が発生する。ステップＳ１６にて、制御装置１４０は、ウェブＷの張力が予め設定された適正張力Ｔ１に到達したかどうかを判定する。ここで、ウェブＷの張力が適正張力Ｔ１に到達していかないと判定（Ｎｏ）されると、この状態を維持する。一方、ウェブＷの張力が適正張力Ｔ１に到達したと判定（Ｙｅｓ）されると、適正張力Ｔ１が維持されるようにインフィードドラグローラ１０９を制御する。
【００５６】
ここで、制御装置１４０は、テンションピックアップローラ１１１，１１７の検出結果に基づいて判定を行う。この場合、印刷ユニットＵ１より下流側のテンションピックアップローラ１１７の検出結果を採用してもよいし、印刷ユニットＵ１より上流側のテンションピックアップローラ１１１の検出結果を採用してもよい。また、両方のテンションピックアップローラ１１１，１１７の検出結果を採用してもよい。
【００５７】
ウェブＷの張力調整作業が完了すると、ステップＳ１７にて、制御装置１４０は、駆動モータ１１２，１１３，１１４，１１５，１１６，１２１，１２４，１３３，１３４を制御することで、インフィードドラグローラ１０９、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、出口ドラグローラ１１８、スリッタドラグローラ１２３、中間ドラグローラ１２５，１２６、三角板ドラグローラ１３１を制御して加速運転する。
【００５８】
そして、この加速運転中には、折ユニットＦ１の駆動モータ１３４と印刷ユニットＵ１の駆動モータ１１３，１１４，１１５，１１６の相互の位相を合わせるための位置制御を行う位置同期制御を行う。位置同期制御（駆動モータの位相合わせ）にて、制御装置１４０は、折ユニットＦ１の駆動モータ１３４の停止時の位置データを基準として、印刷ユニットＵ１の駆動モータ１１３，１１４，１１５，１１６の位置制御を行う。具体的には、折ユニットＦ１の駆動モータ１３４と印刷ユニットＵ１の駆動モータ１１３，１１４，１１５，１１６のそれぞれに、モータを制御する図示しないマスタ局を設け、駆動モータ１３４の運転開始前の停止位置データを基準として仮想マスタ軸データを演算し、該仮想マスタ軸データを駆動モータ１１３，１１４，１１５，１１６のマスタ局に送出して駆動モータ１１３，１１４，１１５，１１６の位置制御を行う。基準となる折ユニットＦ１の駆動モータの位置制御にかかる時間が不要であり、加速運転中に、合わせて印刷ユニットＵ１の駆動モータ１１３，１１４，１１５，１１６の位置制御を行うことにより、損紙の発生を抑制することができる。ステップＳ１８にて、制御装置１４０は、ブランケット胴３１ａ，３１ｂ，３２ａ，３２ｂ，３３ａ，３３ｂ，３４ａ，３４ｂの回転数が所定回転数Ｎ２（１８ｒｐｍ〜５０ｒｐｍ）に到達したかどうかを判定する。
【００５９】
ここで、ブランケット胴３１ａ，３１ｂ，３２ａ，３２ｂ，３３ａ，３３ｂ，３４ａ，３４ｂの回転数が所定回転数Ｎ２に到達していないと判定（Ｎｏ）されると、この状態を維持する。一方、ブランケット胴３１ａ，３１ｂ，３２ａ，３２ｂ，３３ａ，３３ｂ，３４ａ，３４ｂの回転数が所定回転数Ｎ２に到達したと判定（Ｙｅｓ）されると、ステップＳ１９にて、ブランケット胴３１ａ，３１ｂ，３２ａ，３２ｂ，３３ａ，３３ｂ，３４ａ，３４ｂをウェブＷに接触させる印刷位置に移動する処理（胴入れ処理）を開始する。続いて、ステップＳ２０にて、湿し装置６１ａ，６１ｂ，６２ａ，６２ｂ，６３ａ，６３ｂ，６４ａ，６４ｂを作動する処理を開始する。そして、ステップＳ２１にて、インキ供給装置５１ａ，５１ｂ，５２ａ，５２ｂ，５３ａ，５３ｂ，５４ａ，５４ｂを作動する処理を開始する。
【００６０】
なお、ステップＳ１９〜Ｓ２１の処理は、この順序に限定されるものではない。例えば、湿し装置６１ａ，６１ｂ，６２ａ，６２ｂ，６３ａ，６３ｂ，６４ａ，６４ｂを作動する処理、インキ供給装置５１ａ，５１ｂ，５２ａ，５２ｂ，５３ａ，５３ｂ，５４ａ，５４ｂを作動する処理、ブランケット胴３１ａ，３１ｂ，３２ａ，３２ｂ，３３ａ，３３ｂ，３４ａ，３４ｂをウェブＷに接触させる印刷位置に移動する処理（胴入れ処理）の順序であってもよい。
【００６１】
また、ブランケット胴３１ａ，３１ｂ，３２ａ，３２ｂ，３３ａ，３３ｂ，３４ａ，３４ｂをウェブＷに接触させる印刷位置に移動する処理（胴入れ処理）とは、ブランケット胴３１ａ，３１ｂ，３２ａ，３２ｂ，３３ａ，３３ｂ，３４ａ，３４ｂと版胴４１ａ，４１ｂ，４２ａ，４２ｂ，４３ａ，４３ｂ，４４ａ，４４ｂを対接させ、この状態で、ブランケット胴３１ａ，３２ａ，３３ａ，３４ａの外周面と、ブランケット胴３１ｂ，３２ｂ，３３ｂ，３４ｂの外周面とをウェブＷを挟んで対接させる処理である。また、湿し装置６１ａ，６１ｂ，６２ａ，６２ｂ，６３ａ，６３ｂ，６４ａ，６４ｂを作動する処理とは、複数の水着ローラを版胴４１ａ，４１ｂ，４２ａ，４２ｂ，４３ａ，４３ｂ，４４ａ，４４ｂに対接させ、湿し水を供給する処理である。また、インキ供給装置５１ａ，５１ｂ，５２ａ，５２ｂ，５３ａ，５３ｂ，５４ａ，５４ｂを作動する処理とは、複数のインキ着ローラを版胴４１ａ，４１ｂ，４２ａ，４２ｂ，４３ａ，４３ｂ，４４ａ，４４ｂに対接させ、インキを供給する処理である。
【００６２】
ステップＳ２２にて、この３個の処理が終了し、制御装置１４０は、ブランケット胴３１ａ，３１ｂ，３２ａ，３２ｂ，３３ａ，３３ｂ，３４ａ，３４ｂの回転数が所定回転数Ｎ３（例えば、１００ｒｐｍ〜２５０ｒｐｍの範囲）に到達したかどうかを判定する。ここで、ブランケット胴３１ａ，３１ｂ，３２ａ，３２ｂ，３３ａ，３３ｂ，３４ａ，３４ｂの回転数が所定回転数Ｎ３に到達していないと判定（Ｎｏ）されると、この状態を維持する。一方、ブランケット胴３１ａ，３１ｂ，３２ａ，３２ｂ，３３ａ，３３ｂ，３４ａ，３４ｂの回転数が所定回転数Ｎ３に到達したと判定（Ｙｅｓ）されると、ステップＳ２３にて、ブランケット胴３１ａ，３１ｂ，３２ａ，３２ｂ，３３ａ，３３ｂ，３４ａ，３４ｂの回転数を所定回転数Ｎ３に維持する。
【００６３】
そして、ステップＳ２４にて、ブランケット胴３１ａ，３１ｂ，３２ａ，３２ｂ，３３ａ，３３ｂ，３４ａ，３４ｂの回転数を一定回転数（所定回転数Ｎ３）に維持した状態出て、ウェブＷの紙面検査を実行する。すなわち、ウェブＷの絵柄が適正状態であるかを確認し、必要に応じて、ステップＳ２５にて、湿し装置６１ａ，６１ｂ，６２ａ，６２ｂ，６３ａ，６３ｂ，６４ａ，６４ｂによる湿し水供給量を調整し、インキ供給装置５１ａ，５１ｂ，５２ａ，５２ｂ，５３ａ，５３ｂ，５４ａ，５４ｂによるインキ供給量を調整する。
【００６４】
湿し水供給量とインキ供給量が調整されると、ステップＳ２６にて、制御装置１４０は、駆動モータ１１２，１１３，１１４，１１５，１１６，１２１，１２４，１３３，１３４を制御することで、インフィードドラグローラ１０９、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、出口ドラグローラ１１８、スリッタドラグローラ１２３、中間ドラグローラ１２５，１２６、三角板ドラグローラ１３１を制御して加速運転する。そして、ステップＳ２７にて、制御装置１４０は、印刷を開始し、ステップＳ２８にて、ブランケット胴３１ａ，３１ｂ，３２ａ，３２ｂ，３３ａ，３３ｂ，３４ａ，３４ｂの回転数が所定回転数Ｎ４（５００ｒｐｍ〜７５０ｒｐｍ）に到達したかどうかを判定する。
【００６５】
ここで、ブランケット胴３１ａ，３１ｂ，３２ａ，３２ｂ，３３ａ，３３ｂ，３４ａ，３４ｂの回転数が所定回転数Ｎ４に到達していないと判定（Ｎｏ）されると、この状態を維持する。一方、ブランケット胴３１ａ，３１ｂ，３２ａ，３２ｂ，３３ａ，３３ｂ，３４ａ，３４ｂの回転数が所定回転数Ｎ４に到達したと判定（Ｙｅｓ）されると、ステップＳ２９にて、ブランケット胴３１ａ，３１ｂ，３２ａ，３２ｂ，３３ａ，３３ｂ，３４ａ，３４ｂの回転数を所定回転数Ｎ４に維持する。
【００６６】
また、上述した印刷準備作業を時系列に説明する。図１および図３に示すように、時間ｔ１にて、制御装置１４０は、駆動モータ１１２，１１３，１１４，１１５，１１６，１２１，１２４，１３３，１３４を制御することで、インフィードドラグローラ１０９、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、出口ドラグローラ１１８、スリッタドラグローラ１２３、中間ドラグローラ１２５，１２６、三角板ドラグローラ１３１を回転駆動する。ここで、時間ｔ２にて、ブランケット胴３１ａ，３１ｂ，３２ａ，３２ｂ，３３ａ，３３ｂ，３４ａ，３４ｂの回転数が所定回転数Ｎ１に到達すると、所定回転数Ｎ１に維持する。この状態で、ステップＳ１４にて、ウェブＷの紙通し作業を行い、ステップＳ１５にて、ウェブＷの張力調整作業を行う。
【００６７】
時間ｔ３にて、ウェブＷの張力が適正張力Ｔ１に到達すると、適正張力Ｔ１が維持され、制御装置１４０は、駆動モータ１１２，１１３，１１４，１１５，１１６，１２１，１２４，１３３，１３４を制御することで、インフィードドラグローラ１０９、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、出口ドラグローラ１１８、スリッタドラグローラ１２３、中間ドラグローラ１２５，１２６、三角板ドラグローラ１３１を制御して加速運転する。なお、この加速運転中には、折ユニットＦ１の駆動モータ１３４と印刷ユニットＵ１の駆動モータ１１３，１１４，１１５，１１６の相互の位相を合わせるための位置制御を行う位置同期制御も合わせて行う。そして、時間ｔ４にて、ブランケット胴３１ａ，３１ｂ，３２ａ，３２ｂ，３３ａ，３３ｂ，３４ａ，３４ｂの回転数が所定回転数Ｎ２に到達すると、ブランケット胴３１ａ，３１ｂ，３２ａ，３２ｂ，３３ａ，３３ｂ，３４ａ，３４ｂをウェブＷに接触させる印刷位置に移動する処理（胴入れ処理）、湿し装置６１ａ，６１ｂ，６２ａ，６２ｂ，６３ａ，６３ｂ，６４ａ，６４ｂを作動する処理、インキ供給装置５１ａ，５１ｂ，５２ａ，５２ｂ，５３ａ，５３ｂ，５４ａ，５４ｂを作動する処理を順に行う。
【００６８】
そして、時間ｔ５にて、この３個の処理が終了し、ブランケット胴３１ａ，３１ｂ，３２ａ，３２ｂ，３３ａ，３３ｂ，３４ａ，３４ｂの回転数が所定回転数Ｎ３に到達すると、ウェブＷの紙面検査、湿し水供給量の調整作業、インキ供給量の調整を行う。その後、時間ｔ６にて、制御装置１４０は、駆動モータ１１２，１１３，１１４，１１５，１１６，１２１，１２４，１３３，１３４を制御することで、インフィードドラグローラ１０９、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、出口ドラグローラ１１８、スリッタドラグローラ１２３、中間ドラグローラ１２５，１２６、三角板ドラグローラ１３１を制御して加速運転する。そして、時間ｔ７にて、ブランケット胴３１ａ，３１ｂ，３２ａ，３２ｂ，３３ａ，３３ｂ，３４ａ，３４ｂの回転数が所定回転数Ｎ４に到達すると、所定回転数Ｎ４を維持する。
【００６９】
なお、時間Ｔ８にて、印刷作業が終了すると、制御装置１４０は、駆動モータ１１２，１１３，１１４，１１５，１１６，１２１，１２４，１３３，１３４を制御することで、インフィードドラグローラ１０９、ブランケット胴３１ａ，３１ｂ，３２ａ，３２ｂ，３３ａ，３３ｂ，３４ａ，３４ｂ、版胴４１ａ，４１ｂ，４２ａ，４２ｂ，４３ａ，４３ｂ，４４ａ，４４ｂ、出口ドラグローラ１１８、スリッタドラグローラ１２３、中間ドラグローラ１２５，１２６、三角板ドラグローラ１３１を制御して減速運転する。このとき、ブランケット胴３１ａ，３１ｂ，３２ａ，３２ｂ，３３ａ，３３ｂ，３４ａ，３４ｂの回転数が所定回転数Ｎ５（２００ｒｐｍ）に到達すると、湿し装置６１ａ，６１ｂ，６２ａ，６２ｂ，６３ａ，６３ｂ，６４ａ，６４ｂを停止する処理、インキ供給装置５１ａ，５１ｂ，５２ａ，５２ｂ，５３ａ，５３ｂ，５４ａ，５４ｂを停止する処理、ブランケット胴３１ａ，３１ｂ，３２ａ，３２ｂ，３３ａ，３３ｂ，３４ａ，３４ｂをウェブＷから離脱させる待機位置に移動する処理（胴抜き処理）を行う。そして、時間Ｔ９にて、制御装置１４０は、ブランケット胴３１ａ，３１ｂ，３２ａ，３２ｂ，３３ａ，３３ｂ，３４ａ，３４ｂの回転数を所定回転数Ｎ１（７ｒｐｍ）とし、時間Ｔ１０にて、印刷を終了する。
【００７０】
このように本実施形態の印刷機の制御装置にあっては、ブランケット胴３１ａ，３１ｂ，３２ａ，３２ｂ，３３ａ，３３ｂ，３４ａ，３４ｂと、版胴４１ａ，４１ｂ，４２ａ，４２ｂ，４３ａ，４３ｂ，４４ａ，４４ｂと、インキ供給装置５１ａ，５１ｂ，５２ａ，５２ｂ，５３ａ，５３ｂ，５４ａ，５４ｂと、湿し装置６１ａ，６１ｂ，６２ａ，６２ｂ，６３ａ，６３ｂ，６４ａ，６４ｂとを備える新聞用オフセット輪転印刷機１０において、ブランケット胴３１ａ，３１ｂ，３２ａ，３２ｂ，３３ａ，３３ｂ，３４ａ，３４ｂおよび版胴４１ａ，４１ｂ，４２ａ，４２ｂ，４３ａ，４３ｂ，４４ａ，４４ｂを駆動回転し、ブランケット胴３１ａ，３１ｂ，３２ａ，３２ｂ，３３ａ，３３ｂ，３４ａ，３４ｂの回転数が１８ｒｐｍ〜５０ｒｐｍの範囲に到達すると、ブランケット胴３１ａ，３１ｂ，３２ａ，３２ｂ，３３ａ，３３ｂ，３４ａ，３４ｂをウェブＷに接触させる印刷位置に移動する処理、湿し装置６１ａ，６１ｂ，６２ａ，６２ｂ，６３ａ，６３ｂ，６４ａ，６４ｂを作動する処理、インキ供給装置５１ａ，５１ｂ，５２ａ，５２ｂ，５３ａ，５３ｂ，５４ａ，５４ｂを作動する処理を開始する。
【００７１】
従って、ブランケット胴３１ａ，３１ｂ，３２ａ，３２ｂ，３３ａ，３３ｂ，３４ａ，３４ｂの回転数が１８ｒｐｍ〜５０ｒｐｍの範囲に到達すると、ブランケット胴３１ａ，３１ｂ，３２ａ，３２ｂ，３３ａ，３３ｂ，３４ａ，３４ｂをウェブＷに接触させる印刷位置に移動する処理、湿し装置６１ａ，６１ｂ，６２ａ，６２ｂ，６３ａ，６３ｂ，６４ａ，６４ｂを作動する処理、インキ供給装置５１ａ，５１ｂ，５２ａ，５２ｂ，５３ａ，５３ｂ，５４ａ，５４ｂを作動する処理を開始することから、３個の処理をブランケット胴３１ａ，３１ｂ，３２ａ，３２ｂ，３３ａ，３３ｂ，３４ａ，３４ｂの低回転数領域から実施することができ、損紙を低減し、印刷準備作業における作業性の向上を図ることができる。
【００７２】
本実施形態の印刷機の制御装置では、印刷済のウェブＷを所定の長さで横裁断してから横折りして折帖を形成する折機Ｆを設け、ブランケット胴３１ａ，３１ｂ，３２ａ，３２ｂ，３３ａ，３３ｂ，３４ａ，３４ｂの回転数が１８ｒｐｍ〜５０ｒｐｍの範囲に到達する前で、ブランケット胴３１ａ，３１ｂ，３２ａ，３２ｂ，３３ａ，３３ｂ，３４ａ，３４ｂの回転速度を増加中に、版胴４１ａ，４１ｂ，４２ａ，４２ｂ，４３ａ，４３ｂ，４４ａ，４４ｂおよびブランケット胴３１ａ，３１ｂ，３２ａ，３２ｂ，３３ａ，３３ｂ，３４ａ，３４ｂを駆動回転する駆動モータ１１３，１１４，１１５，１１６の位相と、折機Ｆを駆動する駆動モータとの位相を合わせるための位置同期制御を行う。従って、印刷装置Ｕの加速運転中に、版胴４１ａ，４１ｂ，４２ａ，４２ｂ，４３ａ，４３ｂ，４４ａ，４４ｂおよびブランケット胴３１ａ，３１ｂ，３２ａ，３２ｂ，３３ａ，３３ｂ，３４ａ，３４ｂを駆動回転する駆動モータ１１３，１１４、１１５，１１６の位相と、折機Ｆを駆動する駆動モータ１３４との位相を合わせるための位置同期制御を行うことから、損紙の発生を抑制することができる。
【００７３】
本実施形態の印刷機の制御装置では、ウェブＷの張力が予め設定された適正張力に到達すると、ブランケット胴３１ａ，３１ｂ，３２ａ，３２ｂ，３３ａ，３３ｂ，３４ａ，３４ｂの回転速度を増加し、ブランケット胴３１ａ，３１ｂ，３２ａ，３２ｂ，３３ａ，３３ｂ，３４ａ，３４ｂの回転数が１８ｒｐｍ〜５０ｒｐｍの範囲に到達すると、ブランケット胴３１ａ，３１ｂ，３２ａ，３２ｂ，３３ａ，３３ｂ，３４ａ，３４ｂをウェブＷに接触させる印刷位置に移動する処理、湿し装置６１ａ，６１ｂ，６２ａ，６２ｂ，６３ａ，６３ｂ，６４ａ，６４ｂを作動する処理、インキ供給装置５１ａ，５１ｂ，５２ａ，５２ｂ，５３ａ，５３ｂ，５４ａ，５４ｂを作動する処理を開始する。従って、ウェブＷの張力が適正張力に維持された状態で、ブランケット胴３１ａ，３１ｂ，３２ａ，３２ｂ，３３ａ，３３ｂ，３４ａ，３４ｂをウェブＷに接触させることとなり、ウェブＷの破断を抑制することができる。
【００７４】
本実施形態の印刷機の制御装置では、ブランケット胴３１ａ，３１ｂ，３２ａ，３２ｂ，３３ａ，３３ｂ，３４ａ，３４ｂの回転数を７ｒｐｍ〜１０ｒｐｍの範囲の一定速度としてウェブＷの紙通し作業を実行すると共に、ウェブＷの張力調整作業を実行し、ウェブＷの張力が適正張力に到達すると、ブランケット胴３１ａ，３１ｂ，３２ａ，３２ｂ，３３ａ，３３ｂ，３４ａ，３４ｂの回転速度を増加する。従って、ウェブＷの紙通し作業と張力調整作業を円滑に行うことができる。
【００７５】
本実施形態の印刷機の制御装置では、ブランケット胴３１ａ，３１ｂ，３２ａ，３２ｂ，３３ａ，３３ｂ，３４ａ，３４ｂよりウェブＷの搬送方向の下流側に配置される出口ドラグローラ１１８の回転速度より、ブランケット胴３１ａ，３１ｂ，３２ａ，３２ｂ，３３ａ，３３ｂ，３４ａ，３４ｂよりウェブＷの搬送方向の上流側に配置されるインフィードドラグローラ１０９の回転速度を低速とし、ウェブＷの張力が適正張力に到達すると、適正張力が維持されるようにインフィードドラグローラ１０９の回転速度を制御する。従って、ウェブＷの張力調整作業を早期に行うことができる。
【００７６】
本実施形態の印刷機の制御装置では、ブランケット胴３１ａ，３１ｂ，３２ａ，３２ｂ，３３ａ，３３ｂ，３４ａ，３４ｂをウェブＷに接触させる印刷位置に移動する処理、インキ供給装置５１ａ，５１ｂ，５２ａ，５２ｂ，５３ａ，５３ｂ，５４ａ，５４ｂを作動する処理、湿し装置６１ａ，６１ｂ，６２ａ，６２ｂ，６３ａ，６３ｂ，６４ａ，６４ｂを作動する処理の完了後、ブランケット胴３１ａ，３１ｂ，３２ａ，３２ｂ，３３ａ，３３ｂ，３４ａ，３４ｂの回転数が２５０ｒｐｍ以下のときに、ブランケット胴３１ａ，３１ｂ，３２ａ，３２ｂ，３３ａ，３３ｂ，３４ａ，３４ｂの回転数を一定回転数とし、ウェブＷの紙面検査を実行する。従って、ウェブＷの紙面検査をブランケット胴３１ａ，３１ｂ，３２ａ，３２ｂ，３３ａ，３３ｂ，３４ａ，３４ｂの低回転領域で実行することで、損紙の発生を抑制することができる。
【００７７】
本実施形態の印刷機の制御装置では、ブランケット胴３１ａ，３１ｂ，３２ａ，３２ｂ，３３ａ，３３ｂ，３４ａ，３４ｂの周長を版胴４１ａ，４１ｂ，４２ａ，４２ｂ，４３ａ，４３ｂ，４４ａ，４４ｂの周長の整数倍とし、ブランケット胴３１ａ，３１ｂ，３２ａ，３２ｂ，３３ａ，３３ｂ，３４ａ，３４ｂと版胴４１ａ，４１ｂ，４２ａ，４２ｂ，４３ａ，４３ｂ，４４ａ，４４ｂを共通の駆動モータ１１３，１１４，１１５，１１６により駆動回転する。従って、ブランケット胴３１ａ，３１ｂ，３２ａ，３２ｂ，３３ａ，３３ｂ，３４ａ，３４ｂを低回転でウェブＷに接触させることができ、印刷準備作業時間を短縮して損紙の発生を抑制することができる。また、ブランケット胴３１ａ，３１ｂ，３２ａ，３２ｂ，３３ａ，３３ｂ，３４ａ，３４ｂの１回転に対し、版胴４１ａ，４１ｂ，４２ａ，４２ｂ，４３ａ，４３ｂ，４４ａ，４４ｂは２回転以上するので、インキや水が版胴４１ａ，４１ｂ，４２ａ，４２ｂ，４３ａ，４３ｂ，４４ａ，４４ｂに行渡る（整面される）時間が従来よりも早いため、低回転のより早い段階でウェブＷに接触させることができ、損紙の発生をさらに抑制することができる。
【００７８】
また、本実施形態の印刷機の制御方法にあっては、ブランケット胴３１ａ，３１ｂ，３２ａ，３２ｂ，３３ａ，３３ｂ，３４ａ，３４ｂおよび版胴４１ａ，４１ｂ，４２ａ，４２ｂ，４３ａ，４３ｂ，４４ａ，４４ｂを駆動回転し、ブランケット胴３１ａ，３１ｂ，３２ａ，３２ｂ，３３ａ，３３ｂ，３４ａ，３４ｂの回転数が１８ｒｐｍ〜５０ｒｐｍの範囲に到達すると、ブランケット胴３１ａ，３１ｂ，３２ａ，３２ｂ，３３ａ，３３ｂ，３４ａ，３４ｂをウェブＷに接触させる印刷位置に移動する処理、湿し装置６１ａ，６１ｂ，６２ａ，６２ｂ，６３ａ，６３ｂ，６４ａ，６４ｂを作動する処理、インキ供給装置５１ａ，５１ｂ，５２ａ，５２ｂ，５３ａ，５３ｂ，５４ａ，５４ｂを作動する処理を開始する。従って、３個の処理をブランケット胴３１ａ，３１ｂ，３２ａ，３２ｂ，３３ａ，３３ｂ，３４ａ，３４ｂの低回転数領域から実施することができ、印刷準備作業における作業性の向上を図ることができる。
【００７９】
また、本実施形態の印刷機にあっては、ウェブＷを供給する給紙装置Ｒと、給紙装置Ｒから供給されたウェブＷに対して印刷を施す印刷装置Ｕと、印刷装置Ｕにより印刷が施されたウェブＷを縦折りした後に断裁して所定の折帖を形成する折機Ｆと、制御装置とを備える。従って、印刷装置Ｕにて、３個の処理をブランケット胴３１ａ，３１ｂ，３２ａ，３２ｂ，３３ａ，３３ｂ，３４ａ，３４ｂの低回転数領域から実施することができ、印刷準備作業における作業性の向上を図ることができる。
【００８０】
なお、上述した実施形態では、上述した実施形態では、本発明の印刷機を新聞用オフセット輪転印刷機に適用して説明したが、商業用オフセット輪転印刷機など、ウェブを使用するその他の印刷機に適用してもよく、両面印刷機であっても、片面印刷機であってもよい。
【符号の説明】
【００８１】
Ｒ  給紙装置
Ｒ１〜Ｒ７  給紙ユニット
Ｉ  インフィード装置
Ｉ１〜Ｉ７  インフィードユニット
Ｕ  印刷装置
Ｕ１〜Ｕ６，Ｕ１１〜Ｕ６２  印刷ユニット
Ｄ  ウェブパス装置
Ｄ１，Ｄ２  ウェブパスユニット
Ｆ  折機
Ｆ１，Ｆ２  折ユニット
２１，２２，２３，２４  スタック
３１ａ，３１ｂ，３２ａ，３２ｂ，３３ａ，３３ｂ，３４ａ，３４ｂ  ブランケット胴
４１ａ，４１ｂ，４２ａ，４２ｂ，４３ａ，４３ｂ，４４ａ，４４ｂ  版胴
５１ａ，５１ｂ，５２ａ，５２ｂ，５３ａ，５３ｂ，５４ａ，５４ｂ  インキ供給装置
６１ａ，６１ｂ，６２ａ，６２ｂ，６３ａ，６３ｂ，６４ａ，６４ｂ  湿し装置
１０１  保持アーム
１０２  ガイドローラ
１０３  フローティングローラ
１０４  ガイドローラ
１０５  テンションピックアップローラ
１０６  ガイドローラ
１０７  ブレーキ装置
１０８  ガイドローラ
１０９  インフィードドラグローラ
１１０  紙押えローラ
１１１  テンションピックアップローラ
１１２  駆動モータ
１１３，１１４，１１５，１１６  駆動モータ
１１７  テンションピックアップローラ
１１８  出口ドラグローラ
１１９  紙押えローラ
１２０  ガイドローラ
１２１  駆動モータ
１２２  スリッタナイフ
１２３  スリッタドラグローラ
１２４  駆動モータ
１２５，１２６  中間ドラグローラ
１２７，１２８  紙押えローラ
１２９，１３０  テンションピックアップローラ
１３１  三角板ドラグローラ
１３２  紙押えローラ
１３３  駆動モータ
１３４  駆動モータ
１４０  制御装置
ＷＲ  巻取紙
Ｗ  ウェブ
【図１】
2020138400.tif 000003
【図２】
2020138400.tif 000004
【図３】
2020138400.tif 000005
【図４】
2020138400.tif 000006
【図５】
2020138400.tif 000007